(57)【要約】【課題】装着性の良いパンツ型吸収性物品を低コストで提供することにある。【解決手段】パンツ型吸収性物品（１）であり、吸収性本体（１０）の両側端が一対の脚回り開口部を形成し、吸収体（４０）は、長手方向の中央部に幅狭部（４１Ａ）を有する吸収性コア（４１）と、吸収性コア（４１）の肌側面及び非肌側面を覆う有色のコアラップシート（４２）とを有し、吸収性本体（１０）は、コアラップシート（４２）及び幅狭部（４１Ａ）が存在する内側領域（１０Ａ）と、内側領域（１０Ａ）の横方向の外側に、コアラップシート（４２）は存在するが、吸収性コア（４１）は存在しない外側領域（１０Ｂ）とを有し、吸収性本体（１０）を肌側から見た場合に、外側領域（１０Ｂ）の方が内側領域（１０Ａ）の少なくとも一部に比べて白色に対する色差が大きいこと。【選択図】図５
2018086221.tif 000002
【特許請求の範囲】
【請求項１】
縦方向と横方向と厚さ方向とを有し、胴回り開口部と一対の脚回り開口部とが形成されたパンツ型吸収性物品であって、
吸収体を備えるとともに、長手方向に二つ折りされ、前記長手方向が前記縦方向に沿う吸収性本体と、
前記吸収性本体の前記長手方向の両端部にそれぞれ配されて前記横方向に沿う一対のベルト部材と、を有し、
前記横方向における前記吸収性本体の両側端が、前記一対の脚回り開口部の一部を形成し、
前記吸収体は、吸収性コアと、前記吸収性コアの肌側面及び非肌側面を覆う有色のコアラップシートと、を有し、
前記吸収性コアは、前記長手方向の中央部において、前記長手方向の端部よりも幅の狭い幅狭部を有し、
前記吸収性本体は、前記コアラップシート及び前記幅狭部が存在する内側領域と、前記横方向において前記内側領域よりも外側に、前記コアラップシートは存在するが、前記吸収性コアは存在しない外側領域と、を有し、
前記吸収性本体を前記厚さ方向の肌側から見た場合に、前記外側領域の方が前記内側領域の少なくとも一部に比べて、白色に対する色差が大きいことを特徴とするパンツ型吸収性物品。
【請求項２】
請求項１に記載のパンツ型吸収性物品であって、
前記吸収性本体は、前記外側領域に隣接し、且つ、前記コアラップシート及び前記吸収性コアが存在する隣接領域と、前記横方向の中央部において前記コアラップシートが前記吸収性コアよりも前記厚さ方向の肌側で重ねられた中央領域と、を有し、
前記吸収性本体を前記厚さ方向の肌側から見た場合に、前記中央領域の方が前記隣接領域に比べて、白色に対する色差が大きいことを特徴とするパンツ型吸収性物品。
【請求項３】
請求項２に記載のパンツ型吸収性物品であって、
前記吸収性本体は、前記長手方向に前記中央領域と並び、且つ、前記コアラップシートが前記吸収性コアよりも前記厚さ方向の肌側で重ねられていない第２中央領域を有し、
前記吸収性本体を前記厚さ方向の肌側から見た場合に、前記中央領域の方が前記第２中央領域に比べて、白色に対する色差が大きいことを特徴とするパンツ型吸収性物品。
【請求項４】
請求項１から請求項３の何れか１項に記載のパンツ型吸収性物品であって、
前記横方向における前記吸収性本体の最大幅と前記吸収性コアの最大幅とが一致していることを特徴とするパンツ型吸収性物品。
【請求項５】
請求項１から請求項４の何れか１項に記載のパンツ型吸収性物品であって、
前記吸収性本体は、前記長手方向の両端部に、前記コアラップシートは存在するが、前記吸収性コアは存在しない一対の端部領域と、各前記端部領域の前記長手方向の内側に、前記コアラップシート及び前記吸収性コアが存在する一対の内側端部領域と、を有し、
前記吸収性本体を前記厚さ方向の肌側から見た場合に、前記端部領域の方が前記内側端部領域に比べて、白色に対する色差が大きいことを特徴とするパンツ型吸収性物品。
【請求項６】
請求項５に記載のパンツ型吸収性物品であって、
前記一対の端部領域の前記長手方向の長さが異なることを特徴とするパンツ型吸収性物品。
【請求項７】
請求項１から請求項６の何れか１項に記載のパンツ型吸収性物品であって、
前記ベルト部材は、前記吸収性本体よりも前記厚さ方向の肌側にカバーシートを有し、
前記吸収性本体は、前記長手方向の両端部に、前記カバーシートで覆われた一対の第２端部領域を有し、
前記一対の第２端部領域の前記長手方向の長さが異なることを特徴とするパンツ型吸収性物品。
【請求項８】
請求項１から請求項７の何れか１項に記載のパンツ型吸収性物品であって、
前記ベルト部材は、前記吸収性本体よりも前記厚さ方向の非肌側に、複数のシートの間に前記横方向に伸縮する弾性部材が介在している複合シートを有し、
前記吸収性本体は、前記長手方向の両端部に、前記複合シートで覆われた一対の第３端部領域と、前記一対の第３端部領域の間の中間領域と、を有し、
前記吸収性本体を前記厚さ方向の非肌側から見た場合に、前記中間領域の方が前記第３端部領域の少なくとも一部に比べて、白色に対する色差が大きいことを特徴とするパンツ型吸収性物品。
【請求項９】
請求項８に記載のパンツ型吸収性物品であって、
前記第３端部領域は、前記コアラップシート及び前記吸収性コアが存在する第４端部領域と、前記第４端部領域よりも前記長手方向の外側に、前記コアラップシートは存在するが、前記吸収性コアは存在しない第５端部領域と、を有し、
前記吸収性本体を前記厚さ方向の非肌側から見た場合に、前記第５端部領域の方が前記第４端部領域に比べて、白色に対する色差が大きいことを特徴とするパンツ型吸収性物品。
【請求項１０】
請求項８又は請求項９に記載のパンツ型吸収性物品であって、
前記縦方向における前記複合シートの下端部が、前記吸収性本体に接合されていないことを特徴とするパンツ型吸収性物品。
【請求項１１】
請求項１から請求項１０の何れか１項に記載のパンツ型吸収性物品であって、
前記吸収性本体を前記厚さ方向の肌側から見た場合と非肌側から見た場合とで、白色に対する色差の前記縦方向の変化が異なることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、例えば特許文献１には、展開した平面形状が長方形状である吸収性本体と、展開した平面形状が略砂時計形状である外装シートを有するパンツ型のおむつが開示されている。特許文献１のおむつでは、表面シートにおいて着用者の排泄口を当接させる部分とそうでない部分とを識別するために、吸収性本体の短手方向の両側部であり、表面シートと吸収体との間に一対の有色部材が設けられている。
【先行技術文献】
【特許文献】
【０００３】
【特許文献１】特開２０１４−１４３号
【発明の概要】
【発明が解決しようとする課題】
【０００４】
しかし、特許文献１のおむつでは、排泄口の当接部分の識別の為だけに有色部材が追加されており、コストがかかっている。また、特許文献１のおむつでは、外装シートが略砂時計形状であり、吸収性本体よりも短手方向の外側に外装シートが飛び出している。そのため、おむつの装着時に、胴回り開口部から吸収性本体を見て、一対の有色部材を目掛けて脚を通しても、外装部材に脚が引っ掛かり易く、装着性が良くない。
【０００５】
本発明は、上記のような従来の問題に鑑みてなされたものであって、その目的は、装着性の良いパンツ型吸収性物品を低コストで提供することにある。
【課題を解決するための手段】
【０００６】
上記目的を達成するための主たる発明は、縦方向と横方向と厚さ方向とを有し、胴回り開口部と一対の脚回り開口部とが形成されたパンツ型吸収性物品であって、吸収体を備えるとともに、長手方向に二つ折りされ、前記長手方向が前記縦方向に沿う吸収性本体と、前記吸収性本体の前記長手方向の両端部にそれぞれ配されて前記横方向に沿う一対のベルト部材と、を有し、前記横方向における前記吸収性本体の両側端が、前記一対の脚回り開口部の一部を形成し、前記吸収体は、吸収性コアと、前記吸収性コアの肌側面及び非肌側面を覆う有色のコアラップシートと、を有し、前記吸収性コアは、前記長手方向の中央部において、前記長手方向の端部よりも幅の狭い幅狭部を有し、前記吸収性本体は、前記コアラップシート及び前記幅狭部が存在する内側領域と、前記横方向において前記内側領域よりも外側に、前記コアラップシートは存在するが、前記吸収性コアは存在しない外側領域と、を有し、前記吸収性本体を前記厚さ方向の肌側から見た場合に、前記外側領域の方が前記内側領域の少なくとも一部に比べて、白色に対する色差が大きいことを特徴とするパンツ型吸収性物品である。
本発明の他の特徴については、本明細書及び添付図面の記載により明らかにする。
【発明の効果】
【０００７】
本発明によれば、装着性の良いパンツ型吸収性物品を低コストで提供することができる。
【図面の簡単な説明】
【０００８】
【図１】第１実施形態のパンツ型使い捨ておむつ１の概略正面図である。
【図２】展開且つ伸長状態のおむつ１を肌側から見た概略平面図である。
【図３】図３は図２のａａ線の概略断面図である。
【図４】図４Ａは図２のｂｂ線の概略断面図であり、図４Ｂは図２のｃｃ線の概略断面図であり、図４Ｃは図２のｄｄ線の概略断面図であり、図４Ｄは図２のｅｅ線の概略断面図である。
【図５】展開且つ伸長状態のおむつ１の一部を厚さ方向の肌側から見た概略平面図である。
【図６】図６Ａは図２のｅｅ線で切ったおむつ１の概略断面図であり、図６Ｂはおむつ１の一部を縦方向に切った概略断面図である。
【図７】図７Ａ及び図７Ｂはコアラップシート４２の繋ぎ目部４２ｃを説明する図である。
【図８】展開且つ伸長状態のおむつ１を厚さ方向の非肌側から見た概略平面図である。
【図９】ベルト部材２０，３０と吸収性本体１０との接合領域５０を示す図である。
【図１０】第２実施形態のおむつ１を説明する図である。
【発明を実施するための形態】
【０００９】
本明細書及び添付図面の記載により、少なくとも以下の事項が明らかとなる。
縦方向と横方向と厚さ方向とを有し、胴回り開口部と一対の脚回り開口部とが形成されたパンツ型吸収性物品であって、吸収体を備えるとともに、長手方向に二つ折りされ、前記長手方向が前記縦方向に沿う吸収性本体と、前記吸収性本体の前記長手方向の両端部にそれぞれ配されて前記横方向に沿う一対のベルト部材と、を有し、前記横方向における前記吸収性本体の両側端が、前記一対の脚回り開口部の一部を形成し、前記吸収体は、吸収性コアと、前記吸収性コアの肌側面及び非肌側面を覆う有色のコアラップシートと、を有し、前記吸収性コアは、前記長手方向の中央部において、前記長手方向の端部よりも幅の狭い幅狭部を有し、前記吸収性本体は、前記コアラップシート及び前記幅狭部が存在する内側領域と、前記横方向において前記内側領域よりも外側に、前記コアラップシートは存在するが、前記吸収性コアは存在しない外側領域と、を有し、前記吸収性本体を前記厚さ方向の肌側から見た場合に、前記外側領域の方が前記内側領域の少なくとも一部に比べて、白色に対する色差が大きいことを特徴とするパンツ型吸収性物品である。
【００１０】
このようなパンツ型吸収性物品によれば、胴回り開口部から吸収性本体を見たときに、外側領域の色が濃く目立ち、脚回り開口部の位置の目印となるため、脚を通し易い。また、吸収性本体の両側端が脚回り開口部の一部を形成するため、外側領域を目掛けて脚を通す際に脚が引っ掛かり難く、装着性が良い。また、外側領域が目立つように、吸収性物品が一般に備えるコアラップシートを有色にしているため、低コスト化を図れる。
【００１１】
かかるパンツ型吸収性物品であって、前記吸収性本体は、前記外側領域に隣接し、且つ、前記コアラップシート及び前記吸収性コアが存在する隣接領域と、前記横方向の中央部において前記コアラップシートが前記吸収性コアよりも前記厚さ方向の肌側で重ねられた中央領域と、を有し、前記吸収性本体を前記厚さ方向の肌側から見た場合に、前記中央領域の方が前記隣接領域に比べて、白色に対する色差が大きいことを特徴とするパンツ型吸収性物品である。
【００１２】
このようなパンツ型吸収性物品によれば、胴回り開口部から吸収性本体を見たときに、中央領域が目立ち、吸収性本体の横方向中央部の位置の目印となる。そのため、着用者の中心位置（排泄部）に、吸収性本体の横方向中央部（吸収性コア）が位置合わせされ易く、おむつが適切に装着される。
【００１３】
かかるパンツ型吸収性物品であって、前記吸収性本体は、前記長手方向に前記中央領域と並び、且つ、前記コアラップシートが前記吸収性コアよりも前記厚さ方向の肌側で重ねられていない第２中央領域を有し、前記吸収性本体を前記厚さ方向の肌側から見た場合に、前記中央領域の方が前記第２中央領域に比べて、白色に対する色差が大きいことを特徴とするパンツ型吸収性物品である。
【００１４】
このようなパンツ型吸収性物品によれば、胴回り開口部から吸収性本体を見たときに、中央領域が目立ち、吸収性本体の横方向中央部の位置の目印となる。
【００１５】
かかるパンツ型吸収性物品であって、前記横方向における前記吸収性本体の最大幅と前記吸収性コアの最大幅とが一致していることを特徴とするパンツ型吸収性物品である。
【００１６】
このようなパンツ型吸収性物品によれば、吸収性本体の長手方向の両端部で外側領域が途切れるため、胴回り開口部から吸収性本体を見たときに、外側領域が、吸収性本体の長手方向中央部の位置の目印となる。そのため、着用者の中心位置（排泄部）に、吸収性本体の長手方向中央部（吸収性コア）が位置合わせされ易く、おむつが適切に装着される。
【００１７】
かかるパンツ型吸収性物品であって、前記吸収性本体は、前記長手方向の両端部に、前記コアラップシートは存在するが、前記吸収性コアは存在しない一対の端部領域と、各前記端部領域の前記長手方向の内側に、前記コアラップシート及び前記吸収性コアが存在する一対の内側端部領域と、を有し、前記吸収性本体を前記厚さ方向の肌側から見た場合に、前記端部領域の方が前記内側端部領域に比べて、白色に対する色差が大きいことを特徴とするパンツ型吸収性物品である。
【００１８】
このようなパンツ型吸収性物品によれば、胴回り開口部から吸収性本体を見たときに、端部領域が目立ち、吸収性コアの長手方向の端の位置の目印となる。そのため、吸収性本体がしっかりと引き上げられているかを確認でき、おむつが適切に装着される。
【００１９】
かかるパンツ型吸収性物品であって、前記一対の端部領域の前記長手方向の長さが異なることを特徴とするパンツ型吸収性物品である。
【００２０】
このようなパンツ型吸収性物品によれば、端部領域の長さの違いに基づき吸収性物品の前後を識別でき、前後逆に吸収性物品が装着されてしまうことを防止できる。
【００２１】
かかるパンツ型吸収性物品であって、前記ベルト部材は、前記吸収性本体よりも前記厚さ方向の肌側にカバーシートを有し、前記吸収性本体は、前記長手方向の両端部に、前記カバーシートで覆われた一対の第２端部領域を有し、前記一対の第２端部領域の前記長手方向の長さが異なることを特徴とするパンツ型吸収性物品である。
【００２２】
このようなパンツ型吸収性物品によれば、第２端部領域の長さの違いに基づき吸収性物品の前後を識別でき、前後逆に吸収性物品が装着されてしまうことを防止できる。
【００２３】
かかるパンツ型吸収性物品であって、前記ベルト部材は、前記吸収性本体よりも前記厚さ方向の非肌側に、複数のシートの間に前記横方向に伸縮する弾性部材が介在している複合シートを有し、前記吸収性本体は、前記長手方向の両端部に、前記複合シートで覆われた一対の第３端部領域と、前記一対の第３端部領域の間の中間領域と、を有し、前記吸収性本体を前記厚さ方向の非肌側から見た場合に、前記中間領域の方が前記第３端部領域の少なくとも一部に比べて、白色に対する色差が大きいことを特徴とするパンツ型吸収性物品である。
【００２４】
このようなパンツ型吸収性物品によれば、吸収性物品を外側から見たときに、中間領域が目立ち、吸収性物品の下端部の位置の目印となる。そのため、吸収性本体がしっかりと引き上げられているかを確認でき、おむつが適切に装着される。
【００２５】
かかるパンツ型吸収性物品であって、前記第３端部領域は、前記コアラップシート及び前記吸収性コアが存在する第４端部領域と、前記第４端部領域よりも前記長手方向の外側に、前記コアラップシートは存在するが、前記吸収性コアは存在しない第５端部領域と、を有し、前記吸収性本体を前記厚さ方向の非肌側から見た場合に、前記第５端部領域の方が前記第４端部領域に比べて、白色に対する色差が大きいことを特徴とするパンツ型吸収性物品である。
【００２６】
このようなパンツ型吸収性物品によれば、吸収性物品を外側から見たときに、第５端部領域が目立ち、吸収性コアの長手方向の端の位置の目印となる。そのため、吸収性本体がしっかりと引き上げられているかを確認でき、おむつが適切に装着される。
【００２７】
かかるパンツ型吸収性物品であって、前記縦方向における前記複合シートの下端部が、前記吸収性本体に接合されていないことを特徴とするパンツ型吸収性物品である。
【００２８】
このようなパンツ型吸収性物品によれば、装着のために胴回り開口部が広げられた際に、複合シートの下端部が非肌側にめくれて脚回り開口部が広がり、脚を通し易くなる。
【００２９】
かかるパンツ型吸収性物品であって、前記吸収性本体を前記厚さ方向の肌側から見た場合と非肌側から見た場合とで、白色に対する色差の前記縦方向の変化が異なることを特徴とするパンツ型吸収性物品である。
【００３０】
このようなパンツ型吸収性物品によれば、吸収性物品の裏表を識別でき、裏表逆に吸収性物品が装着されてしまうことを防止できる。
【００３１】
以下、本発明に係るパンツ型吸収性物品として、大人向けのパンツ型使い捨ておむつを例に挙げて実施形態を説明する。但し、本発明に係るパンツ型吸収性物品は、大人向けのおむつに限定されず、例えば、乳幼児向けのおむつや、ショーツ型の生理用ナプキン等としても利用可能である。
【００３２】
＝＝＝第１実施形態＝＝＝
＜パンツ型使い捨ておむつの基本構成＞
図１は第１実施形態のパンツ型使い捨ておむつ１（以下「おむつ」という）の概略正面図である。図２は展開且つ伸長状態のおむつ１を肌側から見た概略平面図である。図３は図２のａａ線の概略断面図である。図４Ａは図２のｂｂ線の概略断面図であり、図４Ｂは図２のｃｃ線の概略断面図であり、図４Ｃは図２のｄｄ線の概略断面図であり、図４Ｄは図２のｅｅ線の概略断面図である。
【００３３】
おむつ１は、パンツ型の状態において、縦方向と横方向と厚さ方向とを有し、胴回り開口部ＢＨと一対の脚回り開口部ＬＨとが形成されている。縦方向において着用者の胴側を上側とし、着用者の股下側を下側とする。厚さ方向とは、図３や図４に示すように、おむつ１を構成する各部材が積層された方向である。厚さ方向において、着用者に接する側を「肌側」とし、その反対側を「非肌側」とする。
【００３４】
おむつ１は、長方形状の３つの部材である吸収性本体１０及び一対のベルト部材２０，３０を有する。一対のベルト部材２０，３０のうち着用者の腹側部を覆うものを腹側ベルト部材２０といい、着用者の背側部を覆うものを背側ベルト部材３０という。図２に示す展開状態において、腹側ベルト部材２０及び背側ベルト部材３０は、それらの長手方向がおむつ１の横方向に沿うように配されている。そして、吸収性本体１０の長手方向の一方側の端部に、腹側ベルト部材２０の横方向の中央部が配され、吸収性本体１０の長手方向の他方側の端部に、背側ベルト部材３０の横方向の中央部が配されている。
【００３５】
図２に示す展開状態のおむつ１において、吸収性本体１０の長手方向がおむつ１の縦方向に沿うように、吸収性本体１０が長手方向の略中央で二つ折りされ、腹側ベルト部材２０と背側ベルト部材３０の横方向の両側部がそれぞれ溶着等で接合されることにより、図１に示すパンツ型状態のおむつ１となる。
【００３６】
吸収性本体１０は、図３に示すように、吸収体４０と、吸収体４０よりも厚さ方向の肌側に配されたトップシート１１と、吸収体４０よりも厚さ方向の非肌側に配されたバックシート１２、及び、外装シート１３とを有する。トップシート１１は、液透過性シートであり、親水性のスパンボンド不織布や親水性のエアスルー不織布等を例示できる。バックシート１２は、液不透過性シートであり、ポリエチレンフィルム等を例示できる。外装シート１３としては、疎水性のＳＭＳ不織布等を例示できる。
【００３７】
厚さ方向に見たトップシート１１及びバックシート１２は、その平面形状及び大きさが吸収性本体１０と同じであり、吸収体４０の両面を覆っている。また、図４Ｃ等に示すように、トップシート１１の横方向の両側部は、吸収体４０を巻き込んで非肌側に折り返されている。また、外装シート１３の横方向の両側部は肌側に２回折り返されている。１回目の折り返しで２層になった外装シート１３の間に、糸ゴム等の立体ギャザー部用の弾性部材１４が長手方向に伸長した状態で固定されている。２回目の折り返しで外装シート１３の一部がトップシート１１よりも肌側に折り返され、肌側に起立可能な立体ギャザー部１５が形成されている。
【００３８】
吸収体４０は、尿等の排泄物を吸収して保持する吸収性コア４１と、厚さ方向における吸収性コア４１の肌側面４１ａ及び非肌側面４１ｂを覆う有色のコアラップシート４２とを有する（詳細は後述）。厚さ方向に見た吸収体４０の平面形状及び大きさ（即ちコアラップシート４２の平面形状及び大きさ）は、吸収性本体１０と同じである。また、厚さ方向に見た吸収性コア４１の平面形状は、長手方向の中央部が幅方向の内側に括れた略砂時計形状である。吸収性コア４１としては、高吸収性ポリマー（ＳＡＰ）を含むパルプ等の液体吸収性繊維が所定の形状に成形されたものを例示できる。コアラップシート４２としてはティッシュペーパーや不織布等の液透過性シートを例示できる。
【００３９】
また、本実施形態のコアラップシート４２は、図４Ｃ等に示すように吸収性コア４１を包み込んでいる。具体的には、コアラップシート４２の横方向の両側部が吸収性コア４１の肌側に折り返されている。折り返されたコアラップシート４２は、吸収性コア４１の横方向の中央部で重ね合わされている。このコアラップシート４２が重ね合わされた部位を繋ぎ目部４２ｃという。
【００４０】
腹側ベルト部材２０、及び、背側ベルト部材３０はそれぞれ、図３に示すように、吸収性本体１０よりも厚さ方向の非肌側に配された複合シート２１，３１と、吸収性本体１０よりも厚さ方向の肌側に配されたカバーシート２２，３２とを有する。複合シート２１，３１では、肌側シート２３，３３と非肌側シート２４，３４の間に、複数の胴回り弾性部材２５，３５が介在している。複数の胴回り弾性部材２５，３５は、肌側シート２３，３３と非肌側シート２４，３４の間に、縦方向に並んで配されるとともに、横方向に伸長した状態で固定されている。
【００４１】
カバーシート２２，３２は、肌側シート２３，３３や非肌側シート２４，３４よりも縦方向の長さが短く、吸収性本体１０の長手方向の端部を覆っている。カバーシート２２，３２を設けることによって、吸収性本体１０の長手方向の端部の開きや、吸収性コア４１を構成する部材のこぼれを防止できる。なお、腹側ベルト部材２０及び背側ベルト部材３０を構成するシートとしては、スパンボンド不織布やＳＭＳ不織布等の柔軟なシートを例示できる。
【００４２】
＜おむつ１の装着性＞
図５は展開且つ伸長状態のおむつ１の一部を厚さ方向の肌側から見た概略平面図である。図６Ａは図２のｅｅ線で切ったおむつ１の概略断面図であり、図６Ｂはおむつ１の一部を縦方向に切った概略断面図である。図７Ａ及び図７Ｂはコアラップシート４２の繋ぎ目部４２ｃを説明する図である。図８は展開且つ伸長状態のおむつ１を厚さ方向の非肌側から見た概略平面図である。図９は腹側ベルト部材２０及び背側ベルト部材３０と吸収性本体１０との接合領域５０を示す図である。
【００４３】
本実施形態のおむつ１では、トップシート１１を白色のシート、吸収性コア４１を白色の部材とし、コアラップシート４２を緑色（有色）のシートとする。詳しくは、コアラップシート４２の全体が一定の濃度で緑色に着色されている。なお、コアラップシート４２の構成繊維を緑色に着色してもよいし、印刷等でコアラップシート４２を緑色に着色してもよい。また、吸収性本体１０を構成するその他のバックシート１２及び外装シート１３も白色のシートとする。また、腹側ベルト部材２０および背側ベルト部材３０を構成する複合シート２１，３１（肌側シート２３，３３、非肌側シート２４，３４）及びカバーシート２２，３２も白色のシートとする。
【００４４】
以下の説明では、緑色のコアラップシート４２のうち、吸収性コア４１の肌側面４１ａを覆う部位を「肌側ラップ部４２ａ」といい、吸収性コア４１の非肌側面４１ｂを覆う部位を「非肌側ラップ部４２ｂ」という。
【００４５】
図５に示すように、吸収性コア４１は、その平面形状が略砂時計形状であり、長手方向の中央部において、長手方向の両端部４１Ｂよりも幅の狭い「幅狭部４１Ａ」を有する。一方、コアラップシート４２は、その平面形状が吸収性本体１０と同じ長方形状であり、吸収性コア４１の幅狭部４１Ａよりも横方向の外側にまでコアラップシート４２が存在している。つまり、吸収性本体１０は、コアラップシート４２及び吸収性コア４１の幅狭部４１Ａが存在する「内側領域１０Ａ」と、横方向において内側領域１０Ａよりも外側に、コアラップシート４２は存在するが、吸収性コア４１は存在しない一対の「外側領域１０Ｂ」（吸収性コア４１が括れている領域）とを有する。
【００４６】
図６Ａに示すように、内側領域１０Ａでは、厚さ方向の肌側から、トップシート１１、コアラップシート４２の肌側ラップ部４２ａ、吸収性コア４１、コアラップシート４２の非肌側ラップ部４２ｂが位置している。吸収性コア４１は白色の部材であるが厚みのある部材である。そのため、内側領域１０Ａを厚さ方向の肌側から見た場合に、白色のトップシート１１を透過して肌側ラップ部４２ａの緑色は視認されるが、吸収性コア４１を透過して非肌側ラップ部４２ｂの緑色は視認され難い。よって、内側領域１０Ａは淡い緑色に視認される。
【００４７】
なお、詳細は後述するが、図７Ａに示すように、吸収性本体１０は、横方向の中央部に、コアラップシート４２が吸収性コア４１よりも厚さ方向の肌側で重ねられた中央領域１０Ｄを有する。内側領域１０Ａのうち中央領域１０Ｄ以外の領域が上記のように淡い緑色に視認される。
【００４８】
一方、外側領域１０Ｂでは、図６Ａに示すように、厚さ方向の肌側から、トップシート１１、コアラップシート４２の肌側ラップ部４２ａ、非肌側ラップ部４２ｂが位置している。そのため、外側領域１０Ｂを厚さ方向の肌側から見た場合に、白色のトップシート１１を透過して、肌側ラップ部４２ａの緑色と非肌側ラップ部４２ｂの緑色とが視認され、外側領域１０Ｂは内側領域１０Ａ（中央領域１０Ｄを除く）よりも濃い緑色に視認される。
【００４９】
このように、おむつ１では、吸収性本体１０を厚さ方向の肌側から見た場合に、外側領域１０Ｂの方が内側領域１０Ａよりも色が濃く見える、つまり、外側領域１０Ｂの方が内側領域１０Ａに比べて、白色に対する色差が大きい。そのため、おむつ１の装着時に、着用者が胴回り開口部ＢＨを手で広げて、胴回り開口部ＢＨから吸収性本体１０を見た場合に、外側領域１０Ｂが目立つ。よって、着用者は外側領域１０Ｂを脚回り開口部ＬＨの位置の目印として脚を通すことができ、おむつ１を容易に装着できる。
【００５０】
なお、吸収性本体１０を厚さ方向の肌側から見た場合に、外側領域１０Ｂと内側領域１０Ａの色差が３以上であることが好ましい。そうすることで、外側領域１０Ｂと内側領域１０Ａとが同じ緑色であっても、着用者は２つの領域１０Ｂ，１０Ａの色が著しく異なっていると認識でき、外側領域１０Ｂを目印にすることができる。後述する各領域の色差についても同様のことがいえる。
【００５１】
また、おむつ１では、長手方向に腹側ベルト部材２０と背側ベルト部材３０を繋ぐ部材が存在しない。よって、外側領域１０Ｂよりも横方向の外側には部材が存在せず、横方向における吸収性本体１０の両側端１０ａが、一対の脚回り開口部ＬＨの一部を形成している。そのため、着用者が外側領域１０Ｂを目掛けて脚を通しても、外装部材等に脚が引っ掛かることがなく、安全に装着できる。以上のように、おむつ１は装着性が良い。
【００５２】
また、おむつ１では、外側領域１０Ｂが濃い色に視認されるように、おむつに一般に備えられているコアラップシート４２を有色のシートにしている。そのため、外側領域１０Ｂが濃い色に視認されるように例えばおむつ１に新たな有色の部材を追加する場合に比べて、低コスト化を図れる。
【００５３】
また、コアラップシート４２が有色のシートである方が、白色のシートである場合に比べて、吸収性コア４１が吸収した排泄物が目立ち難い。特に、コアラップシート４２の色を尿（黄色）よりも濃い色（ここでは緑色）にすることで、吸収性コア４１が吸収した尿の隠蔽性が向上する。外側領域１０Ｂが濃い色に視認されるように、コアラップシート４２を有色のシートにすることで、外側領域１０Ｂだけでなく吸収性コア４１の肌側面４１ａも有色のシートで覆われることになり、吸収性コア４１が吸収した排泄物の隠蔽性が向上し、おむつ１交換時の不快感を軽減できる。
【００５４】
なお、本発明では、外側領域１０Ｂの方が内側領域１０Ａに比べて、白色に対する色差が大きいとしているが、この「白色」として、マンセル表色系で「Ｎ９．５」と表される色や、ＲＧＢ色空間で「２５５，２５５，２５５」と表される色、所謂真っ白を例示できる。また、前記真っ白と同じ色系統である色、具体的には、前記真っ白との色差が０以上１２未満である色も「白色」に含まれるものとする。
【００５５】
また、コアラップシート４２が「有色」であるとは、コアラップシート４２が無色透明或いは上記に定義した「白色」以外の色ということである。具体的には、上記に定義した「白色」との色差が４０以上の色であることが好ましい。
【００５６】
また、本実施形態ではコアラップシート４２の色を緑色としているが、これに限らず、例えば、青色、黄色、ピンク色等、任意の色を選択してよい。また、コアラップシート４２の全域が均一の濃度で着色されるに限らない。例えば、複数の色に着色されていたり、単色のグラデーションが形成されていたり、有色の図形や文字が形成されて部分的に着色されていてもよい。これらの場合にも、外側領域１０Ｂの平均の色の濃さが内側領域１０Ａよりも濃く、外側領域１０Ｂが目立てばよい。
【００５７】
同様に、トップシート１１及び吸収性コア４１の色も白色に限らない。但し、吸収性本体１０を厚さ方向の肌側から見た場合に、トップシート１１を介してコアラップシート４２の色が透けて見えるように、トップシート１１の色は比較的に淡い色であることが好ましい。具体的には、トップシート１１単体の光線透過率が２０％以上であることが好ましい。なお、光線透過率の測定は例えばＪＩＳ  Ｚ８７２２に準拠した試験方法等により測定できる。また、外側領域１０Ｂの方が内側領域１０Ａよりも色が濃く見えるように、吸収性コア４１の色はコアラップシート４２よりも淡い色であることが好ましい。
【００５８】
また、外側領域１０Ｂのように、本発明における吸収性コアが存在しない領域とは、実質的に吸収性コア４１が存在しない領域である。つまり、吸収性コアが存在しない領域に、吸収性コア４１を構成する液体吸収性繊維やＳＡＰが若干存在していてもよく、吸収性コア４１が存在する領域に比べて低坪量で液体吸収性繊維やＳＡＰが存在する領域も含まれるものとする。
【００５９】
前述したように、コアラップシート４２は吸収性コア４１を包み込み、吸収性コア４１の肌側面４１ａ上においてコアラップシート４２の繋ぎ目部４２ｃが形成されている。よって、図７Ａに示すように、吸収性本体１０は、外側領域１０Ｂに隣接し、且つ、コアラップシート４２及び吸収性コア４１が存在する隣接領域１０Ｃと、横方向の中央部においてコアラップシート４２が吸収性コア４１よりも厚さ方向の肌側で重ねられた中央領域１０Ｄとを有する。なお、繋ぎ目部４２ｃは吸収性コア４１を超えて吸収性本体１０の長手方向の両端まで達しているが、繋ぎ目部４２ｃのうち吸収性コア４１が存在する範囲を中央領域１０Ｄとする。
【００６０】
吸収性本体１０を厚さ方向の肌側から見た場合に、隣接領域１０Ｃは、上記の内側領域１０Ａと同様に、淡い緑色に視認される。一方、中央領域１０Ｄは、トップシート１１を介してコアラップシート４２の繋ぎ目部４２ｃ、即ち２層分のコアラップシート４２の緑色が視認され、隣接領域１０Ｃよりも濃い緑色に視認される。つまり、中央領域１０Ｄの方が隣接領域１０Ｃよりも色が濃く見え、中央領域１０Ｄの方が隣接領域１０Ｃに比べて、白色に対する色差が大きい。
【００６１】
そのため、おむつ１の装着時に、着用者が胴回り開口部ＢＨから吸収性本体１０を見た場合に中央領域１０Ｄが目立ち、着用者は中央領域１０Ｄを吸収性本体１０の横方向中央部の位置の目印にすることができる。よって、着用者の中心位置に吸収性本体１０の横方向中央部が位置合わせされ易く、着用者の排泄部に吸収性コア４１が密着するように、おむつ１が適切に装着される。
【００６２】
なお、コアラップシート４２の繋ぎ目部４２ｃが吸収性コア４１の非肌側面４１ｂ側に形成されていてもよい。その場合、吸収性本体１０を厚さ方向の非肌側から見た場合に、中央領域１０Ｄが目立つ。よって、着用者の中心位置に吸収性本体１０の横方向中央部が位置合わせされているか、外側から確認できる。また、吸収性コア４１の肌側面４１ａを覆うコアラップシート４２と非肌側面４２ｂを覆うコアラップシート４２とが別シートであってもよい。
【００６３】
また、図７Ａでは、吸収性コア４１の長手方向の全域に亘って中央領域１０Ｄ（繋ぎ目部４２ｃ）が延びているが、これに限らない。図７Ｂに示すように、長手方向に中央領域１０Ｄと並び、且つ、コアラップシート４２が吸収性コア４１よりも厚さ方向の肌側で重ねられていない第２中央領域１０Ｅを、吸収性本体１０が有するようにしてもよい。吸収性本体１０を厚さ方向の肌側から見た場合に、中央領域１０Ｄの方が第２中央領域１０Ｅよりも色が濃く見える、つまり、中央領域１０Ｄの方が第２中央領域１０Ｅに比べて、白色に対する色差が大きい。
【００６４】
図７Ｂでは、吸収性コア４１の長手方向の中央部において、横方向の左側から折り込まれたコアラップシート４２の側端４２ｄが、横方向の右側から折り込まれたコアラップシート４２の側端４２ｅよりも手前側（左側）に位置しており、コアラップシート４２が重ねられていない第２中央領域１０Ｅが形成されている。図７Ｂの第２中央領域１０Ｅは、吸収性コア４１上に１層のコアラップシート４２が存在する領域１０Ｅ１と、吸収性コア４１上にコアラップシート４２が存在しない領域１０Ｅ２とを有する。
【００６５】
このように濃く視認される中央領域１０Ｄと淡く視認される第２中央領域１０Ｅとが長手方向に並ぶことで、濃く視認される中央領域１０Ｄが目立ち易くなる。よって、おむつ１の装着時に、着用者は中央領域１０Ｄを吸収性本体１０の横方向中央部の位置の目印にし易くなる。
【００６６】
また、図５に示すように、横方向における吸収性本体１０の最大幅Ｗと、吸収性コア４１の最大幅Ｗとが一致していることが好ましい。吸収性コア４１は略砂時計形状であるため、吸収性コア４１の長手方向の端部４１Ｂの幅Ｗが最大幅となる。なお、吸収性本体１０及び吸収性コア４１の最大幅Ｗとは、おむつ１を皺なく伸長させた状態での幅とする。具体的には、おむつ１を構成する各部材（例えばトップシート１１等）の寸法がその部材単体の寸法と一致又はそれに近い長さになるまで、おむつ１を伸長させた状態での幅とする。
【００６７】
この場合、外側領域１０Ｂは、吸収性本体１０の長手方向の両端部で途切れ、吸収性本体１０の長手方向中央部に存在することになる。そのため、おむつ１の装着時に、着用者は外側領域１０Ｂを吸収性本体１０の長手方向中央部の位置の目印にすることができる。よって、着用者の中心位置に吸収性本体１０の長手方向中央部が位置合わせされ易く、着用者の排泄部に吸収性コア４１が密着するように、おむつ１が適切に装着される。
【００６８】
また、図５に示すように、コアラップシート４２は吸収性コア４１を超えて吸収性本体１０の長手方向の端１０ｂまで達している。そのため、吸収性本体１０は、長手方向の両端部に、コアラップシート４２は存在するが、吸収性コア４１は存在しない一対の端部領域１０Ｆと、各端部領域１０Ｆの長手方向の内側に、コアラップシート４２及び吸収性コア４１が存在する一対の内側端部領域１０Ｇとを有する。なお、カバーシート２２，３２で覆われている部位は端部領域１０Ｆに含まれないものとする。
【００６９】
吸収性本体１０を厚さ方向の肌側から見た場合に、端部領域１０Ｆは、外側領域１０Ｂと同様に、トップシート１１を介してコアラップシート４２の肌側部４２ａ及び非肌側部４２ｂが視認され、濃い緑色に視認される。一方、内側端部領域１０Ｇは、内側領域１０Ａと同様に、トップシート１１を介してコアラップシート４２の肌側部４２ａは視認されるが、非肌側部４２ｂは視認され難く、淡い緑色に視認される。つまり、端部領域１０Ｆの方が内側端部領域１０Ｇよりも色が濃く見え、端部領域１０Ｆの方が内側端部領域１０Ｇに比べて、白色に対する色差が大きい。
【００７０】
そのため、おむつ１の装着時に、着用者が胴回り開口部ＢＨから吸収性本体１０を見た場合に、端部領域１０Ｆが目立ち、着用者は端部領域１０Ｆを吸収性コア４１の長手方向の端の位置の目印にすることができる。よって、着用者は、ベルト部材２０，３０を把持しておむつ１を引き上げている際に、端部領域１０Ｆの位置に基づき、吸収性本体１０がしっかりと引き上げられているかの確認を行える。ゆえに、着用者の排泄部に吸収性コア４１が密着するように、おむつ１が適切に装着される。
【００７１】
更に、図５に示すように、一対の端部領域１０Ｆの長手方向の長さ（Ｌ１、Ｌ２）が腹側と背側で異なることが好ましい。この場合、着用者や着用者におむつ１を装着させる介護者が、端部領域１０Ｆの長さの違いに基づき、おむつ１の前後（腹側と背側）を識別でき、おむつ１が前後逆に装着されてしまうことを防止できる。このことは本実施形態のおむつ１のように腹側ベルト部材２０と背側ベルト部材３０の形状及び大きさが同じである場合に特に有効である。
【００７２】
また、一般に、着用者の臀部が吸収性コア４１で覆われるように、腹側よりも背側に吸収性コア４１が延びているイメージが持たれている。そのため、背側の端部領域１０Ｆの長さＬ２を腹側の端部領域１０Ｆの長さＬ１よりも短くすることで、おむつ１の前後が感覚的に識別される。
【００７３】
また、吸収性本体１０は、長手方向の両端部に、カバーシート２２，３２で覆われた一対の第２端部領域１０Ｈを有する。吸収性本体１０を厚さ方向の肌側から見た場合に、第２端部領域１０Ｈは、カバーシート２２，３２及びトップシート１１を介して、コアラップシート４２の肌側部４２ａ及び非肌側部４２ｂが視認され、淡い緑色に視認される。よって、淡い緑色に視認される第２端部領域１０Ｈと内側端部領域１０Ｇの間に、端部領域１０Ｆが挟まれることになる。そのため、着用者が胴回り開口部ＢＨから吸収性本体１０を見た場合に、端部領域１０Ｆがより目立ち、着用者は端部領域１０Ｆを吸収性コア４１の長手方向の端の位置の目印にし易くなる。
【００７４】
そして、一対の第２端部領域１０Ｈの長手方向の長さ（Ｌ３、Ｌ４）が腹側と背側で異なるとよい。そうすることで、着用者や介護者は、第２端部領域１０Ｈの長さの違いに基づいて、おむつ１の前後を識別でき、おむつ１が前後逆に装着されてしまうことを防止できる。
【００７５】
また、吸収性本体１０とカバーシート２２，３２は接着剤等で接合されている。図示しないが、おむつ１の縦方向におけるカバーシート２２，３２の下端部は、吸収性本体１０に接合されていないことが好ましい。そうすることで、着用者が胴回り開口部ＢＨから吸収性本体１０を見た場合に、カバーシート２２，３２の下端部が吸収性本体１０からひらひらと浮き上がって目立つため、着用者はその下端部も吸収性コア４１の長手方向の端の位置の目印にすることができる。
【００７６】
また、本実施形態のベルト部材２０，３０では複合シート２１，３１とカバーシート２２，３２を別部材としているが、これに限らない。複合シート２１，３１の一部をカバーシートとしてもよい。例えば、複合シート２１，３１を構成する肌側シート２３，３３と非肌側シート２４，３４の少なくとも一方の上端部を延ばして肌側に折り返して、吸収性本体１０の長手方向の端部を覆ってもよい。
【００７７】
ここまで、吸収性本体１０を厚さ方向の肌側から見た場合について説明しているが、次に、吸収性本体１０を厚さ方向の非肌側から見た場合について説明する。
【００７８】
本実施形態のおむつ１では、図６Ｂ等に示すように、吸収体４０よりも厚さ方向の非肌側に、バックシート１２、及び、外装シート１３が配置されている。また、吸収性本体１０よりも厚さ方向の非肌側に、ベルト部材２０，３０の複合シート２１，３１が配置されている。これらのシート１２，１３，２１，３１は白色のシートである。よって、吸収性本体１０を厚さ方向の非肌側から見た場合に、これらのシート１２，１３，２１，３１を介してコアラップシート４２（主に非肌側部４２ｂ）の緑色が視認される。よって、おむつ１に色味を持たせることができ、おむつ１の外観が下着に近付き、おむつらしさを軽減できる。
【００７９】
また、吸収性コア４１の非肌側面４１ｂが有色のコアラップシート４２で覆われていることで、吸収性コア４１が吸収した排泄物の隠蔽性が良い。そのため、おむつ１の外観から排泄状況を知られ難く、着用者のおむつ１への抵抗感を軽減できる。
【００８０】
このように、おむつ１（吸収性本体１０）を厚さ方向の非肌側から見た場合に、コアラップシート４２の色が透けてみえるように、バックシート１２、外装シート１３、複合シート２１，３１の色は比較的に淡い色であることが好ましい。具体的には、これらのシート１２，１３，２１，３１単体の光線透過率が２０％以上であることが好ましい。
【００８１】
そして、図８に示すように、吸収性本体１０は、長手方向の両端部に、ベルト部材２０，３０が有する複合シート２１，３１で覆われた一対の第３端部領域１０Ｉと、一対の第３端部領域１０Ｉの間の中間領域１０Ｊとを有する。また、第３端部領域１０Ｉは、コアラップシート４２及び吸収性コア４１が存在する第４端部領域１０Ｉ１と、第４端部領域１０Ｉ１よりも長手方向の外側に、コアラップシート４２は存在するが、吸収性コア４１は存在しない第５端部領域１０Ｉ２とを有する。
【００８２】
図６Ｂに示すように、第４端部領域１０Ｉ１を厚さ方向の非肌側から見た場合に、複合シート２１（３１）、外装シート１３、及び、バックシート１２を介して、コアラップシート４２の非肌側部４２ｂが視認される。一方、中間領域１０Ｊを厚さ方向の非肌側から見た場合に、外装シート１３、及び、バックシート１２を介して、コアラップシート４２の非肌側部４２ｂが視認される。よって、吸収性本体１０を厚さ方向の非肌側から見た場合に、中間領域１０Ｊの方が、第３端部領域１０Ｉの一部である第４端部領域１０Ｉ１よりも色が濃く見える、つまり、中間領域１０Ｊの方が第４端部領域１０Ｉ１に比べて、白色に対する色差が大きい。
【００８３】
そのため、着用者や介護者が装着状態のおむつ１を外側から見た場合に、中間領域１０Ｊが目立ち、中間領域１０Ｊを吸収性本体１０の長手方向中央部、つまり、おむつ１の下端部の位置の目印にすることができる。よって、着用者や介護者は、中間領域１０Ｊの位置に基づき、吸収性本体１０がしっかりと引き上げられているかの確認を行える。ゆえに、着用者の排泄部に吸収性コア４１が密着するように、おむつ１が適切に装着される。
【００８４】
また、第５端部領域１０Ｉ２には吸収性コア４１が存在しない。そのため、第５端部領域１０Ｉ２を厚さ方向の非肌側から見た場合に、第４端部領域１０Ｉ１に比べて、コアラップシート４２の肌側部４２ａが視認され易く、色が濃く見える。つまり、第５端部領域１０Ｉ２の方が第４端部領域１０Ｉ１に比べて、白色に対する色差が大きい。
【００８５】
よって、着用者や介護者が装着状態のおむつ１を外側から見た場合に、第５端部領域１０Ｉ２が目立ち、第５端部領域１０Ｉ２を吸収性コア４１の長手方向の端の位置の目印にすることができる。そのため、着用者や介護者は、第５端部領域１０Ｉ２の位置に基づき、吸収性本体１０がしっかりと引き上げられているかの確認を行える。ゆえに、着用者の排泄部に吸収性コア４１が密着するように、おむつ１が適切に装着される。
【００８６】
更に、腹側ベルト部材２０では、図８に示すように、第５端部領域１０Ｉ２の胴回り弾性部材２５の縦方向の間隔Ｌ５よりも、第４端部領域１０Ｉ１の胴回り弾性部材２５の縦方向の間隔Ｌ６が広くなっている。胴回り弾性部材２５の間隔が広いほど、複合シート２１が収縮した際に大きな皺が生じ、複合シート２１が吸収性本体１０から浮き易い。よって、吸収性本体１０を厚さ方向の非肌側から見た場合に、第４端部領域１０Ｉ１はより淡い緑色に視認され、第５端部領域１０Ｉ２が目立ち易く、第５端部領域１０Ｉ２が吸収性コア４１の長手方向の端の位置の目印になり易い。
【００８７】
以上のように、おむつ１（吸収性本体１０）を厚さ方向の非肌側から見た場合、図８に示すように、縦方向の上方から、白いベルト部材２０，３０、濃い緑色である第５端部領域１０Ｉ２、淡い緑色である第４端部領域１０Ｉ１、濃い緑色である中間領域１０Ｊが並ぶ。このようにおむつ１の外観において色の濃淡の変化が生じていることで、おむつ１のデザイン性が増し、おむつらしさを軽減できる。
【００８８】
おむつ１（吸収性本体１０）を厚さ方向の肌側から見た場合にも、図５に示すように、縦方向の上方から、白いベルト部材２０，３０、淡い緑色である第２端部領域１０Ｈ、濃い緑色である端部領域１０Ｆ，淡い緑色である内側端部領域１０Ｇ、そして、淡い緑色である内側領域１０Ａ、或いは、濃い緑色である外側領域１０Ｂが並び、色の濃淡の変化が生じている。但し、吸収性本体１０を厚さ方向の肌側から見た場合と非肌側から見た場合とで、縦方向における色の濃淡の変化が異なっている、つまり白色に対する色差の縦方向の変化が異なる。そのため、着用者や介護者は、おむつ１の色の濃淡の変化の違いに基づき、おむつ１の裏表を識別できる。よって、おむつ１が裏表逆に装着されてしまうことを防止できる。
【００８９】
また、ベルト部材２０，３０が有する複合シート２１，３１は、接着剤等で図９に示す接合領域５０にて吸収性本体１０に接合されている。但し、縦方向における複合シート２１，３１の下端部２１ａ，３１ａは、吸収性本体１０に接合されていないことが好ましい。そうすることで、おむつ１の装着時に、着用者が胴回り開口部ＢＨを手で広げた際に、複合シート２１，３１の下端部２１ａ，３１ａが非肌側にめくれ易い。よって、脚回り開口部ＬＨが広がり、着用者は脚を通し易くなり、おむつ１の装着性が向上する。
【００９０】
また、ベルト部材２０，３０で覆われない中間領域１０Ｊを厚さ方向の非肌側から見た場合、図６Ａに示すように、吸収性コア４１が存在する横方向の中央部１０Ｊ１は、横方向の側部１０Ｊ２（トップシート１１で覆われた部位を除く）に比べて、コアラップシート４２の肌側部４２ａが視認され難い。よって、横方向の側部１０Ｊ２の方が中央部１０Ｊ１に比べて濃い緑色に視認される（つまり白色に対する色差が大きい）。
【００９１】
そのため、着用者や介護者が装着状態のおむつ１を外側から見た場合に、中間領域１０Ｊの横方向の側部１０Ｊ２が目立ち、その横方向の側部１０Ｊ２を、吸収性コア４１の横方向の端の位置の目印にすることができる。よって、着用者の中心位置（排泄物）に吸収性コア４１が位置合わせされているかを、外側から確認できる。
【００９２】
＝＝＝第２実施形態＝＝＝
図１０は、第２実施形態のおむつ１を説明する図であり、展開且つ伸長状態のおむつ１を肌側から見た概略平面図である。第２実施形態のおむつ１は、背側の複合シート３１の形状以外は第１実施形態のおむつ１と同じ構成である。第２実施形態の背側の複合シート３１は、腹側の複合シート２１に比べて大きく、縦方向における下端部が湾曲した略長方形状を成す。このような複合シート３１によれば着用者の臀部を被覆できる。また、腹側ベルト部材２０と背側ベルト部材３０の形状が異なるため、おむつ１が前後逆に装着されてしまうことを防止できる。
【００９３】
第１実施形態の吸収性本体１０と同様に、第２実施形態の吸収性本体１０も、ベルト部材２０，３０（複合シート２１，３１）で覆われた一対の第３端部領域１０Ｉと、その間の中間領域１０Ｊとを有する。前述のように、吸収性本体１０を厚さ方向の非肌側から見た場合、中間領域１０Ｊに比べて第３端部領域１０Ｉの方が、複合シート２１，３１の分だけ、吸収性コア４１が吸収した排泄物の隠蔽性が良い。そのため、第２実施形態のおむつ１のように背側の複合シート３１が長いと、中間領域１０Ｊが小さくなるので、おむつ１の外観から排泄状況がより知られ難くなる。よって、着用者のおむつ１への抵抗感を軽減できる。
【００９４】
＝＝＝色の濃さの比較方法＝＝＝
吸収性本体１０が有する領域（内側領域１０Ａや外側領域１０Ｂ等）の色の濃さの比較は、白色に対する色差で比較でき、白色に対する色差は例えばコニカミノルタ社製の色彩色差計ＣＲ−３００を用いて以下の方法にて取得できる。
【００９５】
まず、測定対象のおむつ１を展開且つ伸長させた状態で板に固定する。おむつ１の展開状態とは、パンツ型おむつ１における一対のベルト部材２０，３０の横方向の両側部の接合を解除し、図２や図１０に示すように広げた状態である。おむつ１の伸長状態とは、おむつ１に生じていた皺が実質的に視認されなくなる程に伸長させた状態である。具体的には、おむつ１を構成する各部材（例えばトップシート１１等）の寸法がその部材単体の寸法と一致又はそれに近い長さになるまで伸長させた状態である。そして、吸収性本体１０を厚さ方向の肌側から見た場合の色の濃さを比較する場合には、おむつ１の肌側面を上側にし、吸収性本体１０を厚さ方向の非肌側から見た場合の色の濃さを比較する場合には、おむつ１の非肌側面を上側にする。
【００９６】
そして、色差計を用いて、白色の基準領域と、色の濃さを比較する対象領域（例えば図１０に示す内側領域１０Ａと外側領域１０Ｂ）の測定を行い、各領域の測定結果（Ｌ*値、ａ*値、ｂ*値）を取得する。なお、ここでは、図１０に示すように、背側ベルト部材３０のうち胴回り弾性部材３５が存在しない領域１０Ｋを白色の基準領域とし、その領域１０Ｋを測定した色を本発明の白色とする。但し、これに限らず、例えばおむつ１を載せた白色の板等、白色である領域であれば何れの領域でもよい。
【００９７】
そして、対象領域（例えば１０Ａ、１０Ｂ）ごとに、白色の基準領域（例えば１０Ｋ）に対する色差ΔＥ*ａｂを取得する。色差ΔＥ*ａｂは、対象領域の測定結果と、基準領域の測定結果との差（ΔＬ*、Δａ*、Δｂ*）に基づき、次の式にて算出できる。
ΔＥ*ａｂ＝[（ΔＬ*）2＋（Δａ*）2＋（Δｂ*）2]1/2
色差ΔＥ*ａｂが大きい領域ほど、白色に対する色差が大きく、色が濃い領域であり、色差ΔＥ*ａｂが小さい領域ほど、色が淡い領域であるといえる。
なお、領域ごとに、同じ箇所を複数回測定した結果の平均値や、異なる複数の箇所の測定結果の平均値に基づき、色差ΔＥ*ａｂを取得することが好ましい。
【００９８】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９９】
例えば、カバーシート２２，３２が吸収性コア４１まで覆っており、端部領域１０Ｆを有さないおむつや、カバーシート２２，３２を有さず、第２端部領域１０Ｈを有さないおむつや、吸収性コア４１とコアラップシート４２の長手方向の端が一致しており、端部領域１０Ｆや第５端部領域１０Ｉ２を有さないおむつ等であってもよい。
【符号の説明】
【０１００】
１  おむつ（パンツ型吸収性物品）、ＢＨ  胴回り開口部、ＬＨ  脚回り開口部、
１０  吸収性本体、１１  トップシート、１２  バックシート、１３  外装シート、
２０  腹側ベルト部材（ベルト部材）、２１  複合シート（シート）、
２２  カバーシート、２３  肌側シート、２４  非肌側シート、
２５  胴回り弾性部材（弾性部材）、３０  背側ベルト部材（ベルト部材）、
３１  複合シート（シート）、３２  カバーシート、３３  肌側シート、
３４  非肌側シート、３５  胴回り弾性部材（弾性部材）、
４０  吸収体、４１  吸収性コア、４１Ａ  幅狭部、４２  コアラップシート、
１０Ａ  内側領域、１０Ｂ  外側領域、１０Ｃ  隣接領域、１０Ｄ  中央領域、
１０Ｅ  第２中央領域、１０Ｆ  端部領域、１０Ｇ  内側端部領域、
１０Ｈ  第２端部領域、１０Ｉ  第３端部領域、１０Ｉ１  第４端部領域、
１０Ｉ２  第５端部領域、１０Ｊ  中間領域、
【図１】
2018086221.tif 000003
【図２】
2018086221.tif 000004
【図３】
2018086221.tif 000005
【図４】
2018086221.tif 000006
【図５】
2018086221.tif 000007
【図６】
2018086221.tif 000008
【図７】
2018086221.tif 000009
【図８】
2018086221.tif 000010
【図９】
2018086221.tif 000011
【図１０】
2018086221.tif 000012